【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
少なくとも１台のプロセッサ；および
命令を格納するメモリを含み、前記少なくとも１台のプロセッサによって実行された時、前記少なくとも１台のプロセッサに以下のことを指示する；
ネットワークを通じて前記少なくとも１台のプロセッサと通信するコンピュータから第１の複数の賭けを受信すること、前記第１の複数の賭けが、第１の期間および気象関連イベントによって少なくとも部分的に定義されており、前記第１の複数の賭けのそれぞれが、以下によってさらに少なくとも部分的に定義される；
個別の賭けられた金額、
地理的な領域内にある個別の地理的な地域、および
前記気象関連イベントの予測された発生；
前記第１の複数の賭けをデータを表す少なくとも１つのプロセッサに通信で接続された表示装置で表示すること；
前記第１の複数の賭けのそれぞれのために賭けられた金額の少なくとも一部を第１の複数のプールにプールすること、前記第１の複数のプールが少なくとも２つの異なる地理的な領域に対応する少なくとも２つのプールを含む；
前記気象関連イベントの結果を決定すること、前記結果を決定するアクトが特定の１つの地理的な地域の少なくとも１つで前記気象関連イベントが発生したと決定することを含む；
前記賭けおよび前記結果に基づいて少なくとも１人の勝者を決定すること、前記少なくとも１人の勝者が、前記特定の１つの地理的な地域の少なくとも１つによって少なくとも部分的に定義された少なくとも１つの勝利の賭けに賭けた；
前記少なくとも１人の勝者のために少なくとも１つの払戻金を決定すること、および
前記第１の複数のプールの少なくとも１つから前記少なくとも１人の勝者に前記少なくとも１つの払戻金を支払うことを含むこと特徴とする装置。
【請求項２】
前記命令が、前記少なくとも１台のプロセッサによって実行された時、前記少なくとも１台のプロセッサに；
第２の期間および前記気象関連イベントの発生によって少なくとも部分的に定義された第２の複数の賭けを受信すること、前記第２の複数の賭けのそれぞれは以下によって少なくとも部分的にさらに定義される；
個別の賭けられた金額、
地理的な領域内にある個別の地理的な地域、
前記第２の複数の賭けのそれぞれのために賭けられた金額の少なくとも一部を第２の複数のプールにプールすること、前記第２の複数のプールが異なる地理的な領域に対応する少なくとも２つのプールを含む；
前記第２の期間が終わった後、前記気象関連イベントの発生が前記第２の期間に起こらなかったことを決定すること；
前記第２の複数のプールから資金の少なくとも一部を支払うことをさらに指示する請求項１に記載の装置。
【請求項３】
前記第２の複数のプールから資金の少なくとも一部を支払うアクトが；
資金の少なくとも一部を前記第２の複数のプールから１つ以上の第２の賭博イベントに対応する１つ以上の他のプールに支払うことを含む請求項２に記載の装置。
【請求項４】
前記第２の複数のプールから資金の少なくとも一部を支払うアクトが；
資金の少なくとも一部を前記第２の複数のプールから先の賭博イベントの少なくとも１人の勝者に支出することを含む請求項２に記載の装置。
【請求項５】
前記少なくとも１人の勝者が、複数の勝者を含み、前記少なくとも１つの払戻金を支払うアクトが、比例配分パリ・ミュテュエル方式で決定された払戻金を前記複数の勝者に支払うことを含む請求項１に記載の装置。
【請求項６】
前記少なくとも１人の勝者が、複数の勝者を含み、前記少なくとも１つの勝利の賭けが、異なる時に賭けられた複数の対応する勝利の賭けを含み、前記少なくとも１つの払戻金を支払うアクトが、前記複数の勝者に、各対応する勝利の賭けが賭けられた時に基づいて決定された払戻金を支払うことを含む請求項１に記載の装置。
【請求項７】
前記第１の複数の賭けが、前記第１の期間に前記気象関連イベントの予測された第１の発生を指定する賭けの第１の部分集合、および前記気象関連イベントの第１の発生の後に前記第１の期間に起こるように予測された前記気象関連イベントの発生を指定する賭けの第２の部分集合を含み、および
前記第１の複数のプールが、前記賭けの第１の部分集合に対応する前記第１のプールの少なくとも１つ、および前記賭けの第２の部分集合に対応する前記第２のプールの少なくとも１つを含む請求項１に記載の装置。
【請求項８】
少なくとも１台のプロセッサによって第１の複数の賭けを受信するアクトが、各賭けが、前記少なくとも１台のプロセッサによって、前記気象関連イベントの発生によって引き起こされた損害が所定金額を超過する損害を引き起こすだろうことに賭けるリクエストを受信すること；および
前記気象関連イベントに関して決定された情報に基づいた賭け金を受理するために、前記所定金額が受理可能な金額かどうかを決定することを含む請求項１に記載の装置。
【請求項９】
前記第１の複数のプールのそれぞれが、異なる地理的な領域中の前記気象関連イベントの予測された発生に対応する請求項１に記載の装置。
【請求項１０】
前記第１の複数のプールが、
前記第１の期間に前記気象関連イベントの第１の発生に対応する少なくとも１つのプール、および
前記第１の期間に前記気象関連イベントの続く発生に対応する少なくとも１つの第２のプールを含む請求項１に記載の装置。
【請求項１１】
前記第１の期間のそれぞれが、特定のシーズンを含み、前記第１の複数の賭けのそれぞれが、前記特定のシーズン内の選択された時間によって少なくとも部分的にさらに定義され、および、少なくとも１人の勝者を決定するアクトが、前記選択された時間の間に特定の１つの地理的な地域の少なくとも１つで前記気象関連イベントが生じたと決定することに基づいて少なくとも１人の勝者を決定することを含む請求項１に記載の装置。
【請求項１２】
前記命令は、前記少なくとも１台のプロセッサによって実行された時、前記少なくとも１台のプロセッサに；
実体に使用料を支払うこと、前記使用料が第１の複数のプールの少なくとも１つの割合を含み、および、前記割合が前記第１の複数のプールの少なくとも１つのサイズに基づいて決定されること、を指示する請求項１に記載の装置。
【請求項１３】
前記気象関連イベントは、津波、ハリケーン、および地震の少なくとも１つを含む請求項１に記載の装置。
【請求項１４】
前記気象関連イベントの発生によって影響を受けた地域に前記第１の複数のプールの少なくとも一部を提供することをさらに含む請求項１に記載の装置。
【請求項１５】
前記少なくとも１人の勝者を決定するアクトが、前記第１の期間に、その他の地理的な地域に影響する前に、前記個別の気象関連イベントが前記個別の地理的な地域に影響するかどうかを決定することに基づく請求項１に記載の装置。
【請求項１６】
前記命令が、前記少なくとも１台のプロセッサによって実行された時に、前記少なくとも１台のプロセッサに；
オークションで前記第１の複数の賭けのうちの少なくとも１つを売ることを指示する請求項１に記載の装置。
【請求項１７】
前記少なくとも１つの払戻金が、前記第１の期間に前記気象関連イベントの発生の強さに基づいて決定された少なくとも１つの払戻金を含む請求項１に記載の装置。
【請求項１８】
前記少なくとも１つの払戻金が、前記気象関連イベントによって引き起こされた損害額に基づいて決定された少なくとも１つの払戻金を含む請求項１に記載の装置。
【請求項１９】
第１の時間に前記個別の気象関連イベントのステータスに関する第１の情報を決定すること；および
前記第１の時間後の第２の時間に前記個別の気象関連イベントのステータスに関する第２の情報を決定すること；
前記少なくとも１つの払戻金を決定するアクトが、前記第１の情報および前記第２の情報に基づいて前記少なくとも１つの払戻金を決定することをさらに含む請求項１に記載の装置。
【請求項２０】
前記第１の複数の賭けが、複数のユーザから受信され、前記命令が、前記少なくとも１台のプロセッサによって実行された時、各ユーザの居住所条件を決定するために前記少なくとも１台のプロセッサにさらに指示することを含み、前記居住所条件が；
（１）  前記ユーザが前記特定の地理的な地域に居住すること；
（２）  前記ユーザが前記特定の地理的な地域の財産を所有すること；
（３）  前記ユーザが前記特定の地理的な地域で税を支払うこと；および
（４）  前記ユーザが、前記地理的な地域での財産のための財産税および前記地域に関連した所得税の少なくとも１つを含む特定の税を支払うこと
の少なくとも１つを含む請求項１に記載の装置。
【請求項２１】
前記居住所条件が、前記ユーザが前記特定の地理的な地域に居住することを含む請求項２０に記載の装置。
【請求項２２】
前記居住所条件が、前記ユーザが前記特定の地理的な地域の財産を所有することを含む請求項２０に記載の装置。
【請求項２３】
前記居住所条件が、前記ユーザが前記特定の地理的な地域に税を支払うことを含む請求項２０に記載の装置。
【請求項２４】
前記居住所条件が、前記ユーザが特定の税金を支払うこと、前記特定の税が、前記地理的な地域での財産のため財産税および前記地域に関連した所得税の少なくとも１つを含む特定の税を支払うことを含む請求項２０に記載の装置。
【請求項２５】
前記命令が、前記少なくとも１台のプロセッサによって実行された時、前記少なくとも１台のプロセッサに；
表示装置に、ユーザが他の賭けで指定されるべき地域として地理的な地域を指定したことを示す情報を表示させることをさらに指示する請求項２０に記載の装置。
【請求項２６】
前記個別の地理的な地域が、少なくとも１つの人間居住区を含み、前記地理的な領域が、前記少なくとも１つの人間居住区を含む複数の人間居住区を含む請求項１に記載の装置。
【請求項２７】
ネットワークを介して少なくとも１台のプロセッサと通信するコンピュータから第１の複数の賭けを前記少なくとも１台のプロセッサによって受信すること、前記第１の複数の賭けが、第１の期間および気象関連イベントによって少なくとも部分的に定義され、および前記第１の複数の賭けのそれぞれが、以下によって部分的にさらに定義され；
個別に賭けられた金額、
地理的な領域内の個別の地理的な地域、および
前記気象関連イベントの予測された発生；
前記第１の複数の賭けを表すデータを前記少なくとも１つのプロセッサに通信によって接続された表示装置で表示すること；
前記第１の複数の賭けのそれぞれのために賭けられた金額の少なくとも一部を少なくとも第１の複数のプールにプールすること、前記第１の複数のプールが、少なくとも２つの異なる地理的な領域に対応する少なくとも２つのプールを含む；
前記少なくとも１台のプロセッサによって前記気象関連イベントの結果を決定すること、前記結果を決定するアクトが、前記気象関連イベントが前記特定の１つの地理的な地域の少なくとも１つで起こったことを決定することを含む；
前記少なくとも１台のプロセッサによって前記賭けおよび前記結果に基づいて少なくとも１人の勝者を決定すること、前記少なくとも１人の勝者が、前記特定の１つの地理的な地域の少なくとも１つによって少なくとも部分的に定義された少なくとも１つの勝利の賭けをした；
前記少なくとも１台のプロセッサによって前記少なくとも１人の勝者のための少なくとも１つの払戻金を決定すること；および
前記第１の複数のプールの少なくとも１つから前記少なくとも１つの払戻金を前記少なくとも１人の勝者に支払うことを含む方法。
【請求項２８】
前記第１の複数の賭けを表すデータを表示するアクトが、地図を表すグラフィック・ディスプレイにデータを表示することを含む請求項２７の方法。
【請求項２９】
前記第１の複数の賭けの賭けを示すデータを前記少なくとも１つのプロセッサによって受信すること、
居住所を示すデータを前記少なくとも１つのプロセッサによって受信すること、および
居住所が前記示された賭けによって特定された地理的な地域に対応することを前記少なくとも１台のプロセッサによって確認することをさらに含む請求項２７の方法。
【請求項３０】
追加の賭けを購入する提案を前記少なくとも１台のプロセッサによって生成することをさらに含む請求項２７の方法。
【請求項３１】
賭けを購入する提案を生成することが、前記受信された第１の複数の賭けの１つの賭けに基づいた提案を生成することを含む請求項３０の方法。